【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  情報を選択する第１の情報選択手段と、
前記第１の情報選択手段で選択された情報に含まれる複数のマルチメディアデータの概要提示情報を並列的に作成する概要提示情報作成手段と、
前記作成された概要提示情報を提示する提示手段とを備え、
前記提示手段は、前記概要提示情報作成処理の完了前において、前記概要提示情報に替わる代替情報として、前記概要提示情報とは異なる情報、または前記概要提示情報作成手段で作成途中の前記概要提示情報を、各々の前記概要提示情報作成処理に応じて段階的に提示する、情報出力装置。
【請求項２】  前記概要提示情報作成手段での前記概要提示情報作成処理の実行を制御する概要提示情報作成制御手段と、
概要提示情報を格納する格納手段とをさらに備え、
前記概要提示情報が前記格納手段に格納されている場合には、
前記概要提示情報作成制御手段は、前記概要提示情報作成手段において前記概要提示情報作成処理を実行しないよう制御し、
前記提示手段は、前記格納手段に格納されている前記概要提示情報を提示する、請求項１に記載の情報出力装置。
【請求項３】  前記第１の情報選択手段で選択された前記情報に基づいて、前記概要提示情報作成処理を行なう対象とする情報を選択する第２の情報選択手段をさらに備え、
前記概要提示情報作成手段は、前記第２の情報選択手段で選択された情報に含まれるマルチメディアデータの概要提示情報を作成して前記格納手段に格納する、請求項２に記載の情報出力装置。
【請求項４】  前記第２の情報選択手段は、当該情報出力装置の状況に基づいて前記概要提示情報作成処理を行なう対象とする情報を選択する、請求項３に記載の情報出力装置。
【請求項５】  前記第２の情報選択手段は、前記情報選択手段で選択された前記情報の属性に基づいて前記概要提示情報作成処理を行なう対象とする情報を選択する、請求項３に記載の情報出力装置。
【請求項６】  前記第２の情報選択手段で選択された複数の情報に複数のマルチメディアデータを含む情報が含まれるとき、前記概要提示情報作成制御手段は、前記第２の情報選択手段で選択されたすべての情報について、前記情報に含まれる少なくとも１つのマルチメディアデータの概要提示情報が作成されるよう、前記概要提示情報作成手段での前記概要提示情報作成処理の実行を制御する、請求項３〜５のいずれかに記載の情報出力装置。
【請求項７】  前記第２の情報選択手段で選択された複数の情報に複数のマルチメディアデータを含む情報が含まれるとき、前記概要提示情報作成制御手段は、前記第２の情報選択手段で選択された１つの情報について、前記１つの情報に含まれるすべてのマルチメディアデータの概要提示情報が作成された後に、次の情報に含まれるマルチメディアデータの概要提示情報を作成するよう、前記概要提示情報作成手段での前記概要提示情報作成処理の実行を制御する、請求項３〜５のいずれかに記載の情報出力装置。
【請求項８】  前記格納手段から削除対象である概要提示情報を選択する削除概要提示情報選択手段と、
前記選択された概要提示情報を削除する削除手段とをさらに備える、請求項２に記載の情報出力装置。
【請求項９】  前記削除概要提示情報選択手段は、マルチメディアデータの属性に基づいて前記削除対象の概要提示情報を選択する、請求項８に記載の情報出力装置。
【請求項１０】  前記削除概要提示情報選択手段は、前記概要提示情報のデータサイズに基づいて前記削除対象の概要提示情報を選択する、請求項８に記載の情報出力装置。
【請求項１１】  前記削除概要提示情報選択手段は、前記概要提示情報作成手段での前記概要提示情報作成処理のコストに基づいて前記削除対象の概要提示情報を選択する、請求項８に記載の情報出力装置。
【請求項１２】  前記削除概要提示情報選択手段は、前記提示手段での前記概要提示情報の提示状況に基づいて前記削除対象の概要提示情報を選択する、請求項８に記載の情報出力装置。
【請求項１３】  前記削除概要提示情報選択手段が前記削除対象の概要提示情報を複数選択したとき、前記削除手段は、１つの情報に含まれる少なくとも１つのマルチメディアデータの概要提示情報を残すように前記削除対象の概要提示情報のうちの所定の概要提示情報を削除する、請求項８〜１２のいずれかに記載の情報出力装置。
【請求項１４】  前記提示手段での前記概要提示情報の提示のタイミングを制御する概要提示情報提示制御手段をさらに備える、請求項１〜１３のいずれかに記載の情報出力装置。
【請求項１５】  前記概要提示情報提示制御手段は、前記第１の情報選択手段で前記情報が選択された後、所定時間経過後に前記概要提示情報を提示するよう、前記提示手段での前記概要提示情報の提示のタイミングを制御する、請求項１４に記載の情報出力装置。
【請求項１６】  前記マルチメディアデータは画像を含むデータであって、
前記概要提示情報作成手段は、前記画像の少なくとも一部を用いて前記概要提示情報を作成する、請求項１〜１５のいずれかに記載の情報出力装置。
【請求項１７】  情報を選択する第１の情報選択ステップと、
前記第１の情報選択ステップで選択された情報に含まれる複数のマルチメディアデータの概要提示情報を並列的に作成する概要提示情報作成ステップと、
前記作成された概要提示情報を提示する提示ステップとを備え、
前記提示ステップは、前記概要提示情報作成処理の完了前において、前記概要提示情報に替わる代替情報として、前記概要提示情報とは異なる情報、または前記概要提示情報作成ステップで作成途中の前記概要提示情報を、各々の前記概要提示情報作成処理に応じて段階的に提示する、情報出力方法。
【請求項１８】  前記概要提示情報作成ステップでの前記概要提示情報作成処理の実行を制御する概要提示情報作成制御ステップと、
概要提示情報を格納装置に格納する格納ステップとをさらに備え、
前記概要提示情報が前記格納装置に格納されている場合には、
前記概要提示情報作成制御ステップは、前記概要提示情報作成ステップにおいて前記概要提示情報作成処理を実行しないよう制御し、
前記提示ステップは、前記格納装置に格納されている前記概要提示情報を提示する、請求項１７に記載の情報出力方法。
【請求項１９】  前記第１の情報選択ステップで選択された前記情報に基づいて、前記概要提示情報作成処理を行なう対象とする情報を選択する第２の情報選択ステップをさらに備え、
前記概要提示情報作成ステップは、前記第２の情報選択ステップで選択された情報に含まれるマルチメディアデータの概要提示情報を作成して前記格納装置に格納する、請求項１７に記載の情報出力方法。
【請求項２０】  前記第２の情報選択ステップは、情報出力装置の状況に基づいて前記概要提示情報作成処理を行なう対象とする情報を選択する、請求項１９に記載の情報出力方法。
【請求項２１】  前記第２の情報選択ステップは、前記情報選択ステップで選択された前記情報の属性に基づいて前記概要提示情報作成処理を行なう対象とする情報を選択する、請求項１９に記載の情報出力方法。
【請求項２２】  前記第２の情報選択ステップで選択された複数の情報に複数のマルチメディアデータを含む情報が含まれるとき、前記概要提示情報作成制御ステップは、前記第２の情報選択ステップで選択されたすべての情報について、前記情報に含まれる少なくとも１つのマルチメディアデータの概要提示情報が作成されるよう、前記概要提示情報作成ステップでの前記概要提示情報作成処理の実行を制御する、請求項１９〜２１のいずれかに記載の情報出力方法。
【請求項２３】  前記第２の情報選択ステップで選択された複数の情報に複数のマルチメディアデータを含む情報が含まれるとき、前記概要提示情報作成制御ステップは、前記第２の情報選択ステップで選択された１つの情報について、前記１つの情報に含まれるすべてのマルチメディアデータの概要提示情報が作成された後に、次の情報に含まれるマルチメディアデータの概要提示情報を作成するよう、前記概要提示情報作成ステップの前記概要提示情報作成処理の実行を制御する、請求項１９〜２１のいずれかに記載の情報出力方法。
【請求項２４】  前記格納ステップから削除対象である概要提示情報を選択する削除概要提示情報選択ステップと、
前記選択された概要提示情報を削除する削除ステップとをさらに備える、請求項１８に記載の情報出力方法。
【請求項２５】  前記削除概要提示情報選択ステップは、マルチメディアデータの属性に基づいて前記削除対象の概要提示情報を選択する、請求項２４に記載の情報出力方法。
【請求項２６】  前記削除概要提示情報選択ステップは、前記概要提示情報のデータサイズに基づいて前記削除対象の概要提示情報を選択する、請求項２４に記載の情報出力方法。
【請求項２７】  前記削除概要提示情報選択ステップは、前記概要提示情報作成ステップでの前記概要提示情報作成処理のコストに基づいて前記削除対象の概要提示情報を選択する、請求項２４に記載の情報出力方法。
【請求項２８】  前記削除概要提示情報選択ステップは、前記提示ステップでの前記概要提示情報の提示状況に基づいて前記削除対象の概要提示情報を選択する、請求項２４に記載の情報出力方法。
【請求項２９】  前記削除概要提示情報選択ステップが前記削除対象の概要提示情報を複数選択したとき、前記削除ステップは、１つの情報に含まれる少なくとも１つのマルチメディアデータの概要提示情報を残すように前記削除対象の概要提示情報のうちの所定の概要提示情報を削除する、請求項２４〜２８のいずれかに記載の情報出力方法。
【請求項３０】  前記提示ステップでの前記概要提示情報の提示のタイミングを制御する概要提示情報提示制御ステップをさらに備える、請求項１７〜２９のいずれかに記載の情報出力方法。
【請求項３１】  前記概要提示情報提示制御ステップは、前記第１の情報選択ステップで前記情報が選択された後、所定時間経過後に前記概要提示情報を提示するよう、前記提示ステップでの前記概要提示情報の提示のタイミングを制御する、請求項３０に記載の情報出力方法。
【請求項３２】  前記マルチメディアデータは画像を含むデータであって、
前記概要提示情報作成ステップは、前記画像の少なくとも一部を用いて前記概要提示情報を作成する、請求項１７〜３１のいずれかに記載の情報出力方法。
【請求項３３】  マルチメディアデータを含む情報の出力処理をコンピュータに実行させる情報出力プログラムであって、
情報を選択する第１の情報選択ステップと、
前記第１の情報選択ステップで選択された情報に含まれる複数のマルチメディアデータの概要提示情報を並列的に作成する概要提示情報作成ステップと、
前記作成された概要提示情報を提示する提示ステップとを実行させ、
前記提示ステップは、前記概要提示情報作成処理の完了前において、前記概要提示情報に替わる代替情報として、前記概要提示情報とは異なる情報、または前記概要提示情報作成ステップで作成途中の前記概要提示情報を、各々の前記概要提示情報作成処理に応じて段階的に提示する、情報出力プログラム。
【請求項３４】  前記概要提示情報作成ステップでの前記概要提示情報作成処理の実行を制御する概要提示情報作成制御ステップと、
概要提示情報を格納装置に格納する格納ステップとをさらに実行させ、
前記概要提示情報が前記格納装置に格納されている場合には、
前記概要提示情報作成制御ステップは、前記概要提示情報作成ステップにおいて前記概要提示情報作成処理を実行しないよう制御し、
前記提示ステップは、前記格納装置に格納されている前記概要提示情報を提示する、請求項３３に記載の情報出力プログラム。
【請求項３５】  前記第１の情報選択ステップで選択された前記情報に基づいて、前記概要提示情報作成処理を行なう対象とする情報を選択する第２の情報選択ステップをさらに実行させ、
前記概要提示情報作成ステップは、前記第２の情報選択ステップで選択された情報に含まれるマルチメディアデータの概要提示情報を作成して前記格納装置に格納する、請求項３４に記載の情報出力プログラム。
【請求項３６】  マルチメディアデータを含む情報の出力処理をコンピュータに実行させる情報出力プログラムを記録するコンピュータ読取可能な記録媒体であって、請求項３３〜３５のいずれかに記載の情報出力プログラムを記録した記録媒体。
【手続補正２】
【補正対象書類名】明細書
【補正対象項目名】００１３
【補正方法】変更
【補正の内容】
【００１３】
【課題を解決するための手段】
上記目的を達成するために、本発明のある局面に従うと、情報出力装置は、情報を選択する第１の情報選択手段と、第１の情報選択手段で選択された情報に含まれる複数のマルチメディアデータの概要提示情報を作成する概要提示情報作成手段と、作成された概要提示情報を提示する提示手段とを備え、提示手段は、概要提示情報作成処理の完了前において、概要提示情報に替わる代替情報として、概要提示情報とは異なる情報、または概要提示情報作成手段で作成途中の概要提示情報を、各々の概要提示情報作成処理に応じて段階的に提示する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
また、情報出力装置は、概要提示情報作成手段での概要提示情報作成処理の実行を制御する概要提示情報作成制御手段と、概要提示情報を格納する格納手段とをさらに備え、概要提示情報が格納手段に格納されている場合には、概要提示情報作成制御手段は、概要提示情報作成手段において概要提示情報作成処理を実行しないよう制御し、提示手段は、格納手段に格納されている概要提示情報を提示することが好ましい。
【手続補正５】
【補正対象書類名】明細書
【補正対象項目名】００１６
【補正方法】変更
【補正の内容】
【００１６】
また、情報出力装置は、第１の情報選択手段で選択された情報に基づいて、概要提示情報作成処理を行なう対象とする情報を選択する第２の情報選択手段をさらに備え、概要提示情報作成手段は、第２の情報選択手段で選択された情報に含まれるマルチメディアデータの概要提示情報を作成して格納手段に格納することがより好ましい。
【手続補正６】
【補正対象書類名】明細書
【補正対象項目名】００３０
【補正方法】変更
【補正の内容】
【００３０】
本発明の他の局面に従うと、情報出力方法は、情報を選択する第１の情報選択ステップと、第１の情報選択ステップで選択された情報に含まれる複数のマルチメディアデータの概要提示情報を並列的に作成する概要提示情報作成ステップと、作成された概要提示情報を提示する提示ステップとを備え、提示ステップは、概要提示情報作成処理の完了前において、概要提示情報に替わる代替情報として、概要提示情報とは異なる情報、または概要提示情報作成ステップで作成途中の概要提示情報を、各々の概要提示情報作成処理に応じて段階的に提示する。
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】変更
【補正の内容】
【００３２】
また、情報出力方法は、概要提示情報作成ステップでの概要提示情報作成処理の実行を制御する概要提示情報作成制御ステップと、概要提示情報を格納装置に格納する格納ステップとをさらに備え、概要提示情報が格納装置に格納されている場合には、概要提示情報作成制御ステップは、概要提示情報作成ステップにおいて概要提示情報作成処理を実行しないよう制御し、提示ステップは、格納装置に格納されている概要提示情報を提示することが好ましい。
【手続補正９】
【補正対象書類名】明細書
【補正対象項目名】００３３
【補正方法】変更
【補正の内容】
【００３３】
また、情報出力方法は、第１の情報選択ステップで選択された情報に基づいて、概要提示情報作成処理を行なう対象とする情報を選択する第２の情報選択ステップをさらに備え、概要提示情報作成ステップは、第２の情報選択ステップで選択された情報に含まれるマルチメディアデータの概要提示情報を作成して格納装置に格納することがより好ましい。
【手続補正１０】
【補正対象書類名】明細書
【補正対象項目名】００４７
【補正方法】変更
【補正の内容】
【００４７】
本発明のさらに他の局面に従うと、情報出力プログラムは、マルチメディアデータを含む情報の出力処理をコンピュータに実行させる情報出力プログラムであって、情報を選択する第１の情報選択ステップと、第１の情報選択ステップで選択された情報に含まれる複数のマルチメディアデータの概要提示情報を並列的に作成する概要提示情報作成ステップと、作成された概要提示情報を提示する提示ステップとを実行させ、提示ステップは、概要提示情報作成処理の完了前において、概要提示情報に替わる代替情報として、概要提示情報とは異なる情報、または概要提示情報作成ステップで作成途中の概要提示情報を、各々の概要提示情報作成処理に応じて段階的に提示する。
【手続補正１１】
【補正対象書類名】明細書
【補正対象項目名】００４８
【補正方法】削除
【補正の内容】
【手続補正１２】
【補正対象書類名】明細書
【補正対象項目名】００４９
【補正方法】変更
【補正の内容】
【００４９】
また、情報出力プログラムは、概要提示情報作成ステップでの概要提示情報作成処理の実行を制御する概要提示情報作成制御ステップと、概要提示情報を格納装置に格納する格納ステップとをさらに実行させ、概要提示情報が格納装置に格納されている場合には、概要提示情報作成制御ステップは、概要提示情報作成ステップにおいて概要提示情報作成処理を実行しないよう制御し、提示ステップは、格納装置に格納されている概要提示情報を提示することが好ましい。
【手続補正１３】
【補正対象書類名】明細書
【補正対象項目名】００５０
【補正方法】変更
【補正の内容】
【００５０】
また、情報出力プログラムは、第１の情報選択ステップで選択された情報に基づいて、概要提示情報作成処理を行なう対象とする情報を選択する第２の情報選択ステップをさらに実行させ、概要提示情報作成ステップは、第２の情報選択ステップで選択された情報に含まれるマルチメディアデータの概要提示情報を作成して格納装置に格納することがより好ましい